(57)【要約】      （修正有）【課題】便利性及び普及性を有する心電図パッチ及び心電図装置用アダプターを提供する。【解決手段】両側にそれぞれ凹溝９１０を有するケーブル９００と心電図装置とを電気的に結合することに用いられるアダプターであって、下部ハウジング２００及び締付け構造を含み、下部ハウジングが２つの凸軸２１０を有し、締付け構造の両側にそれぞれ貫通孔５１２及びフック５１４を有し、２つの貫通孔がそれぞれ２つの凸軸に結合され、且つ２つのフックの間の距離がケーブルの幅よりも小さい。２つのフックは、ケーブルがアダプターに結合される場合、ケーブルの両側がそれぞれ２つのフックを離間方向へ押し退けることができ、且つケーブルとアダプターが結合された場合、２つのフックが復位してそれぞれケーブルの２つの凹溝に係合するように配置される。【選択図】図２
0003223930.tif 000002
【実用新案登録請求の範囲】
【請求項１】
両側にそれぞれ凹溝を有するケーブルと心電図装置とを電気的に結合することに用いられるアダプターであって、
２つの凸軸を有する下部ハウジングと、
両側にそれぞれ貫通孔及びフックを有し、前記２つの貫通孔がそれぞれ前記２つの凸軸に結合され、且つ前記２つのフックの間の距離が前記ケーブルの幅よりも小さい締付け構造と、
を含み、
前記２つのフックは、前記ケーブルが前記アダプターに結合される場合、前記ケーブルの両側がそれぞれ前記２つのフックを離間方向へ押し退けることができ、且つ前記ケーブルと前記アダプターが結合された場合、前記２つのフックが復位してそれぞれ前記ケーブルの前記２つの凹溝に係合するように配置されるアダプター。
【請求項２】
前記締付け構造は、
両側にそれぞれ延長アーム及びガイド部を有し、各前記ガイド部がそれぞれ前記２つの延長アームの一方と弾性連結部の一端に連結される前記弾性連結部を更に含み、
前記２つの延長アーム及び前記２つのガイド部は、前記ケーブルの両側がそれぞれ前記２つのフックを離間方向へ押し退ける場合、前記２つの延長アームがそれぞれ前記２つの凸軸の上方で回転して前記２つのガイド部を連動させて接近方向へ前記弾性連結部を押すように配置される請求項１に記載のアダプター。
【請求項３】
前記２つのガイド部はそれぞれガイド傾斜面を有し、
前記アダプターは、
前記締付け構造の上方に位置し、且つ２つのガイド柱を含み、各前記ガイド柱が前記２つのガイド傾斜面の一方と前記２つの延長アームの一方との間に位置するガイド構造を更に含み、
前記２つのガイド柱は、前記２つのガイド柱がそれぞれ前記２つのガイド傾斜面を押す場合、前記２つのガイド部が接近方向へ前記弾性連結部を押して、前記２つの延長アームをそれぞれ前記２つの凸軸上方で回転するように連動して、前記２つのフックを前記ケーブルの前記２つの凹溝から外すように配置される請求項２に記載のアダプター。
【請求項４】
前記ガイド構造の上方に固定され、前記ガイド構造を連動させるように配置されるプッシュボタンを更に含む請求項３に記載のアダプター。
【請求項５】
前記ガイド構造と前記プッシュボタンとの間に位置し、且つスロットを有する上部ハウジングを更に含み、前記プッシュボタンが前記スロットを貫通し前記ガイド構造に結合され、且つ前記上部ハウジングと前記下部ハウジングとが前記ケーブル挿入用の隙間を形成する請求項４に記載のアダプター。
【請求項６】
前記２つの延長アームは、それぞれ第１端及び第２端を有し、且つそれぞれ前記２つの凸軸の上方で回転する場合、前記２つの第１端が離間し、前記２つの第２端が接近するように配置される請求項２〜５の何れか１項に記載のアダプター。
【請求項７】
前記２つのフックがそれぞれ傾斜面を有し、前記２つの傾斜面は、前記ケーブルが前記アダプターに結合される場合、前記ケーブルの前記両側がそれぞれ前記２つのフックの前記２つの傾斜面を押し、且つ前記ケーブルと前記アダプターが結合された場合、前記ケーブルが前記２つの傾斜面の間に位置するように互いに対向して配置される請求項１に記載のアダプター。
【請求項８】
前記２つの延長アームの間に位置するコネクタと、
前記２つの凸軸の間に位置し、且つ前記コネクタに電気的に結合される回路基板と、
前記回路基板と前記心電図装置とを電気的に結合するリード線接続箱と、
を更に含む請求項２に記載のアダプター。
【請求項９】
前記リード線接続箱は、第１の側壁及び第２の側壁を更に含み、前記第１の側壁及び前記第２の側壁にそれぞれ複数の導電性バックルを有する請求項８に記載のアダプター。
【請求項１０】
前記リード線接続箱は、前記第１の側壁及び前記第２の側壁に接続される第３の側壁を更に含み、前記第３の側壁が複数のジャックを有する請求項８〜９の何れか１項に記載のアダプター。
【考案の詳細な説明】
【技術分野】
【０００１】
本考案は、アダプターに関し、特に、心電図パッチ及び心電図装置用アダプターに関する。
【背景技術】
【０００２】
従来の１２誘導心電図装置を使用する場合、サクションボール、クランプ及びパッチ等によって被験者に装着する必要があり、医療者が使用に多くの時間がかかるので、使い捨て（ワンタイム）のパッチが開発されてきた。しかしながら、既存のクイックリリース心電計のほとんどは、パッチとサクションボール端部を別々に着脱可能に組み合ったものであり、且つこれらの素子は一体化型の使い捨てパッチと配合して使用することができないので、便利性及び普及性に欠けている。
【考案の概要】
【０００３】
本考案の一技術態様は、ケーブルと心電図装置とを電気的に結合することに用いられ、ケーブルの両側にそれぞれ凹溝を有するアダプターである。
【０００４】
本考案のある実施例において、アダプターは、２つの凸軸を有する下部ハウジングと、両側にそれぞれ貫通孔及びフックを有し、２つの貫通孔がそれぞれ２つの凸軸に結合され、且つ２つのフックの間の距離がケーブルの幅よりも小さい締付け構造と、を含み、２つのフックは、ケーブルがアダプターに結合される場合、ケーブルの両側がそれぞれ２つのフックを離間方向へ押し退けることができ、且つケーブルとアダプターが結合された場合、２つのフックが復位してそれぞれケーブルの２つの凹溝に係合するように配置される。
【０００５】
本考案のある実施例において、締付け構造は、両側にそれぞれ延長アーム及びガイド部を有し、各ガイド部がそれぞれ２つの延長アームの一方と弾性連結部の一端に連結される弾性連結部を更に含む。２つの延長アーム及び２つのガイド部は、ケーブルの両側がそれぞれ２つのフックを離間方向へ押し退ける場合、２つの延長アームがそれぞれ２つの凸軸の上方で回転して２つのガイド部を連動させて接近方向へ弾性連結部を押すように配置される。
【０００６】
本考案のある実施例において、２つのガイド部はそれぞれガイド傾斜面を有し、アダプターは、締付け構造の上方に位置し、且つ２つのガイド柱を含み、各ガイド柱が２つのガイド傾斜面の一方と２つの延長アームの一方との間に位置するガイド構造を更に含み、２つのガイド柱は、２つのガイド柱がそれぞれ２つのガイド傾斜面を押す場合、２つのガイド部が接近方向へ弾性連結部を押して、２つの延長アームをそれぞれ２つの凸軸の上方で回転するように連動して、２つのフックを離間させてそれぞれケーブルの２つの凹溝から外すように配置される。
【０００７】
本考案のある実施例において、アダプターは、ガイド構造の上方に固定され、ガイド構造を連動させるように配置されるプッシュボタンを更に含む。
【０００８】
本考案のある実施例において、アダプターは、ガイド構造とプッシュボタンとの間に位置し、且つスロットを有する上部ハウジングを更に含む。プッシュボタンがスロットを貫通しガイド構造に結合され、且つ上部ハウジングと下部ハウジングとがケーブル挿入用の隙間を形成する。
【０００９】
本考案のある実施例において、２つの延長アームは、それぞれ第１端及び第２端を有し、且つ２つの延長アームがそれぞれ２つの凸軸の上方で回転する場合、２つの第１端が離間し、２つの第２端が接近するように配置される。
【００１０】
本考案のある実施例において、２つのフックがそれぞれ傾斜面を有し、２つの傾斜面は、ケーブルがアダプターに結合される場合、ケーブルの両側がそれぞれ２つのフックの２つの傾斜面を押し、且つケーブルとアダプターが結合された場合、ケーブルが２つの傾斜面の間に位置するように互いに対向して配置される。
【００１１】
本考案のある実施例において、アダプターは、２つの延長アームの間に位置するコネクタと、２つの凸軸の間に位置し、且つコネクタに電気的に結合される回路基板と、回路基板と心電図装置を電気的に結合するリード線接続箱と、を更に含む。
【００１２】
本考案のある実施例において、リード線接続箱は、第１の側壁及び第２の側壁を更に含み、第１の側壁及び第２の側壁にそれぞれ複数の導電性バックルを有する。
【００１３】
本考案のある実施例において、リード線接続箱は、第１の側壁及び第２の側壁に接続される第３の側壁を更に含み、第３の側壁が複数のジャックを有する。
【００１４】
本考案の上記実施例において、アダプターは一体化型の使い捨てパッチのコネクタ端（例えば、ケーブル又はフレキシブルケーブル）を迅速に結合して、信号を心電図装置本体に安定的に送信することができる。一体化型の使い捨てパッチをアダプターからすばやく取り外して新しいパッチに交換することもできる。また、アダプターは、異なる種類のリード線に適合させることができるので、使い捨ての一体型パッチと異なる形態の心電図装置との電気的結合を普及させることができる。このように、従来の心電図装置の操作中にパッチとサクションボール端部との別々の着脱に要する時間を短縮することができる。
【図面の簡単な説明】
【００１５】
【図１】本考案のある実施例によるアダプターを示す斜視図である。
【図２】図１のアダプターがケーブルに結合される場合の、上部ハウジング、プッシュボタン、及びリード線接続箱が省略された様子を示す斜視図である。
【図３】リード線接続箱が省略された図１のアダプターを示す分解図である。
【図４】図２のアダプターがケーブルに電気的に結合される時の異なる段階を示す斜視図である。
【図５】図２のアダプターがケーブルに電気的に結合される時の異なる段階を示す斜視図である。
【図６】図２のアダプターがケーブルに電気的に結合される時の異なる段階を示す斜視図である。
【図７】図６に示すケーブルとアダプターの回路基板とが分かれた様子を示す斜視図である。
【図８】本考案のある実施例によるアダプターのリード線接続箱を示す斜視図である。
【図９Ａ】本考案のある実施例によるアダプターとリードとが電気的に結合される様子を示す斜視図である。
【図９Ｂ】本考案のある実施例によるアダプターとリードとが電気的に結合される様子を示す斜視図である。
【図１０】本考案のある実施例によるアダプターが使い捨てパッチ及び心電図装置に電気的に結合される様子を示す斜視図である。
【考案を実施するための形態】
【００１６】
以下、図面で本考案の複数の実施形態を開示し、明らかに説明するために、多くの実際的な細部は、以下の説明において併せて説明する。しかしながら、理解すべきなのは、これらの実際的な細部は、本考案を制限するためのものではない。つまり、本考案の一部の実施形態において、必要なものではない。また、図面を簡略化するために、いくつかの従来の慣用の構造と素子は、図面において簡単に模式的に示される。また、明確にするために、図面における層及び領域の厚さは誇張される場合があり、図面の説明において、同じ素子の符号は同じ素子を表す。
【００１７】
図１は、本考案のある実施例によるアダプター１０を示す斜視図である。アダプター１０は、上部ハウジング１００と、下部ハウジング２００と、プッシュボタン３００と、リード線接続箱４００と、を有する。リード線接続箱４００は、連結線４０２によってアダプター１０の上部ハウジング１００と下部ハウジング２００の内に連結されることができる。アダプター１０の前側（連結線４０２に反対する側）は、ケーブルを連結することに用いられてよい。アダプター１０のリード線接続箱４００は異なるタイプのリードによって電子装置（例えば、心電図装置）に電気的に連結されることができる。
【００１８】
図２は、図１のアダプター１０がケーブル９００に結合される場合の、上部ハウジング１００、プッシュボタン３００、及びリード線接続箱４００が省略された様子を示す斜視図である。図３は、リード線接続箱４００が省略された図１のアダプター１０を示す分解図である。図２と図３を同時に参照すると、アダプター１０は、上部ハウジング１００と下部ハウジング２００の間に位置する締付け構造５００、ガイド構造６００、コネクタ７００、及び回路基板８００を含む。本実施例において、アダプター１０はケーブル９００に電気的に結合されてよく、ケーブル９００が２つの凹溝９１０を有する。アダプター１０の下部ハウジング２００は、上部ハウジング１００の方向へ伸び且つ下部ハウジング２００の両側に位置する２つの凸軸２１０を有する。本実施例において、凸軸２１０は支持構造２２０によって下部ハウジング２００に固定される。
【００１９】
アダプター１０の締付け構造５００は、弾性連結部５２０、２つのガイド部５３０、及び２つの延長アーム５１０を有する。２つのガイド部５３０及び２つの延長アーム５１０はそれぞれ弾性連結部５２０の両側に位置する。ガイド部５３０は延長アーム５１０と弾性連結部５２０の一端に連結される。延長アーム５１０は貫通孔５１２及びフック５１４を有する。貫通孔５１２は下部ハウジング２００の凸軸２１０に結合される。２つのフック５１４は延長アーム５１０から対向する方向へ伸び、ケーブル９００と係合することができる。２つのフック５１４は、それぞれ傾斜面５１４２を有し、且つ２つの傾斜面５１４２が対向する。ガイド部５３０はガイド傾斜面５３２を有し、且つ２つのガイド傾斜面５３２が、それぞれガイド部５３０に対応して連結される延長アーム５１０に向かう。
【００２０】
アダプター１０のコネクタ７００は回路基板８００に電気的に結合され、且つ２つの延長アーム５１０の間に位置し、ケーブル９００に電気的に結合されることに用いられる。締付け構造５００の２つのフック５１４の間に距離Ｄを有し、ケーブル９００が幅Ｗを有し、且つ距離Ｄが幅Ｗよりも小さい。つまり、ケーブル９００とコネクタ７００とが電気的に結合される場合、締付け構造５００の２つのフック５１４がそれぞれケーブル９００の２つの凹溝９１０内に位置して、ケーブル９００がアダプター１０の前側へ外れないようにする。上記のケーブル９００とアダプター１０のコネクタ７００との電気的結合のフローについては、後で図４〜図６に合わせて説明する。
【００２１】
アダプター１０のガイド構造６００は締付け構造５００の上方に位置する。ガイド構造６００は、下部ハウジング２００の方向へ伸び、締付け構造５００のガイド傾斜面５３２と延長アーム５１０の間に位置する２つのガイド柱６１０を含む。アダプター１０のプッシュボタン３００は、ガイド構造６００の上方に固定され、方向Ｆに沿って移動するようにガイド構造６００を連動させるように配置される。アダプター１０の上部ハウジング１００は、スロット１１０を有し、且つガイド構造６００とプッシュボタン３００の間に位置する。プッシュボタン３００は、伸びてスロット１１０を貫通してガイド構造６００に結合される。つまり、ガイド構造６００は、プッシュボタン３００との結合で方向Ｆに沿って移動して、ガイド柱６１０が締付け構造５００のガイド傾斜面５３２を押すようにしてケーブル９００を取り外すことができる。上記のケーブル９００をアダプター１０のコネクタ７００から取り外すフローについては、後で図７に合わせて説明する。
【００２２】
また、下部ハウジング２００はノッチ２３０を更に有し、上部ハウジング１００も対応するノッチを有してよく、下部ハウジング２００のノッチ２３０と上部ハウジング１００のノッチとが共にケーブル９００挿入用の隙間１０２（図４参照）を形成する。これにより、使い捨てパッチがケーブル９００と回路基板８００を介してリード線接続箱４００（図１参照）に電気的に結合され、更に心電図装置に電気的に結合される。
【００２３】
図４〜図６は、図２のアダプター１０がケーブル９００に電気的に結合される時の異なる段階を示す斜視図である。図４に示すように、延長アーム５１０にそれぞれ第１端５１６及び第２端５１８を有する。ケーブル９００がアダプター１０に接触していない場合、２つの延長アーム５１０が略平行であり、且つ２つのフック５１４の間の距離Ｄがケーブル９００の幅Ｗよりも小さい。つまり、ケーブル９００の凹溝９１０がまたアダプター１０の外に位置し、且つ２つの延長アーム５１０の２つの第１端５１６の間の距離と２つの第２端５１８の間の距離とは同じである。
【００２４】
図５に示すように、ケーブル９００が方向Ｆに沿ってコネクタ７００へ移動しアダプター１０に挿入される場合、ケーブル９００の両側がそれぞれフック５１４の傾斜面５１４２を押し、フック５１４を離間方向へ押し退ける。この場合、２つの延長アーム５１０がそれぞれ２つの凸軸２１０の上方で回転して２つのガイド部５３０を接近方向へ弾性連結部５２０を押すように連動させる。また、延長アーム５１０の２つの第１端５１６が離間して、２つの第２端５１８が接近する。弾性連結部５２０は押されるように変形してガイド部５３０の近付けのための空間を提供する。従って、２つのフック５１４の間の距離Ｄが増加し且つほぼケーブル９００の幅Ｗに等しくなることで、ケーブル９００が持続的にコネクタ７００に近付くことができる。
【００２５】
図６に示すように、ケーブル９００が持続的に方向Ｆに沿ってコネクタ７００へ移動する場合、ケーブル９００の凹溝９１０はフック５１４を通過する。この場合、ケーブル９００とコネクタ７００とが電気的に結合され、２つのフック５１４が復位してそれぞれケーブル９００の２つの凹溝９１０と係合して、ケーブル９００が外（方向Ｆの反対方向）へ移動することを制限する。つまり、２つのフック５１４の間の距離Ｄが回復し且つケーブル９００の幅Ｗよりも小さく、ケーブル９００が２つの傾斜面５１４２の間に位置する。この場合、ケーブル９００が外へフック５１４を押す力が無くなり、２つの延長アーム５１０がそれぞれ２つの凸軸２１０の上方で回転し、弾性連結部５２０の回復力により２つのガイド部５３０を離間方向へ移動させるように連動させる。また、延長アーム５１０の２つの第１端５１６が接近して、２つの第２端５１８が離間し、且つ２つの延長アーム５１０は略平行な状態に復元する。
【００２６】
図７は、図６に示すケーブル９００とアダプター１０の回路基板８００が分ける様子を示す斜視図である。プッシュボタン３００が方向Ｆに沿ってガイド構造６００を移動させるように連動させる場合、２つのガイド柱６１０がそれぞれ２つのガイド傾斜面５３２を押しガイド傾斜面５３２に沿って摺動することで、２つのガイド部５３０が接近方向へ弾性連結部５２０を押して、２つの延長アーム５１０がそれぞれ２つの凸軸２１０の上方で回転するように連動させる。このように、延長アーム５１０の２つの第１端５１６が離間し、２つの第２端５１８が接近することで、２つのフック５１４をケーブル９００の２つの凹溝９１０から外す。従って、２つのフック５１４の間の距離Ｄが増加し且つケーブル９００の幅Ｗ以上になることで、ケーブル９００を方向Ｆの反対方向に沿って回路基板８００と離間させてアダプター１０から取り外すことができる。
【００２７】
図８は、本考案のある実施例によるアダプター１０のリード線接続箱４００を示す斜視図である。リード線接続箱４００は、第１の側壁４１２、第２の側壁４１４（図１参照）及び第１の側壁４１２及び第２の側壁４１４に接続される第３の側壁４１６を有する。第１の側壁４１２及び第２の側壁４１４はそれぞれ複数の導電性バックル４２０を有する。本実施例において、第１の側壁４１２は６つの導電性バックル４２０を有し、第２の側壁４１４は４つの導電性バックル４２０を有する。第３の側壁４１６は複数のジャック４３０を有する。本実施例において、第３の側壁４１６は１０個のジャック４３０を有する。
【００２８】
図９Ａ及び図９Ｂは、本考案のある実施例によるアダプター１０とリードとが電気的に結合される様子を示す斜視図である。図８及び図９Ａを同時に参照すると、スナップリード４４０（Ｓｎａｐ  ｔｙｐｅ）がそれぞれ第１の側壁４１２及び第２の側壁４１４における導電性バックル４２０に電気的に結合される。図８及び図９Ｂを同時に参照すると、バナナリード４５０（Ｂａｎａｎａ  ｔｙｐｅ）がそれぞれ第３の側壁４１６のジャック４３０に電気的に結合される。
【００２９】
図１０は、本考案のある実施例によるアダプター１０が使い捨てパッチ９２０及び心電図装置９３０に電気的に結合される様子を示す斜視図である。本実施例において、アダプター１０の前側が使い捨てパッチ９２０のケーブル９００に電気的に結合され、アダプター１０のリード線接続箱４００がバナナリード４５０を介して対応する心電図装置９３０に電気的に結合される。
【００３０】
要するに、本考案のアダプター１０は、締付け構造５００によって一体化型の使い捨てパッチのコネクタ端（例えば、ケーブル）を迅速に結合して、信号を心電図装置本体に安定的に送信することができる。プッシュボタン３００によってガイド構造６００を連動させて、一体化型の使い捨てパッチをアダプター１０からすばやく取り外して新しいパッチに交換することもできる。このように、従来の心電図装置の操作中にパッチとサクションボール端部との別々の着脱に要する時間を短縮することができる。また、アダプター１０のリード線接続箱４００は、バナナリード線及びスナップリード線が適用されるので、使い捨てパッチと異なる形態の心電図装置との電気的結合を普及させることができる。
【００３１】
本考案では実施形態を前述の通りに開示したが、これは、本考案を限定するものではなく、当業者であれば、本考案の精神と範囲から逸脱しない限り、多様の変更や修正を加えることができる。従って、本考案の保護範囲は、下記実用新案登録請求の範囲で指定した内容を基准とする。
【符号の説明】
【００３２】
１０  アダプター、１００  上部ハウジング、１０２  隙間、１１０  スロット、２００  下部ハウジング、２１０  凸軸、２２０  支持構造、２３０  ノッチ、３００  プッシュボタン、４００  リード線接続箱、４０２  連結線、４４０  スナップリード、４５０  バナナリード、５００  締付け構造、５１０  延長アーム、５１２  貫通孔、５１４  フック、５１４２  傾斜面、５１６  第１端、５１８  第２端、５２０  弾性連結部、５３０  ガイド部、５３２  ガイド傾斜面、６００  ガイド構造、６１０  ガイド柱、７００  コネクタ、８００  回路基板、９００  ケーブル、９１０  凹溝、９２０  使い捨てパッチ、９３０  心電図装置、Ｆ  方向、Ｄ  距離、Ｗ  幅。
【図１】
0003223930.tif 000003
【図２】
0003223930.tif 000004
【図３】
0003223930.tif 000005
【図４】
0003223930.tif 000006
【図５】
0003223930.tif 000007
【図６】
0003223930.tif 000008
【図７】
0003223930.tif 000009
【図８】
0003223930.tif 000010
【図９Ａ】
0003223930.tif 000011
【図９Ｂ】
0003223930.tif 000012
【図１０】
0003223930.tif 000013
【手続補正書】
【提出日】令和1年9月11日(2019.9.11)
【手続補正１】
【補正対象書類名】実用新案登録請求の範囲
【補正対象項目名】全文
【補正方法】変更
【補正の内容】
【実用新案登録請求の範囲】
【請求項１】
両側にそれぞれ凹溝を有するケーブルと心電図装置とを電気的に結合することに用いられるアダプターであって、
２つの凸軸を有する下部ハウジングと、
両側にそれぞれ貫通孔及びフックを有し、前記２つの貫通孔がそれぞれ前記２つの凸軸に結合され、且つ前記２つのフックの間の距離が前記ケーブルの幅よりも小さい締付け構造と、
を含み、
前記２つのフックは、前記ケーブルが前記アダプターに結合される場合、前記ケーブルの両側がそれぞれ前記２つのフックを離間方向へ押し退けることができ、且つ前記ケーブルと前記アダプターが結合された場合、前記２つのフックが復位してそれぞれ前記ケーブルの前記２つの凹溝に係合するように配置されるアダプター。
【請求項２】
前記締付け構造は、
両側にそれぞれ延長アーム及びガイド部を有し、各前記ガイド部がそれぞれ前記２つの延長アームの一方と弾性連結部の一端に連結される前記弾性連結部を更に含み、
前記２つの延長アーム及び前記２つのガイド部は、前記ケーブルの両側がそれぞれ前記２つのフックを離間方向へ押し退ける場合、前記２つの延長アームがそれぞれ前記２つの凸軸の上方で回転して前記２つのガイド部を連動させて接近方向へ前記弾性連結部を押すように配置される請求項１に記載のアダプター。
【請求項３】
前記２つのガイド部はそれぞれガイド傾斜面を有し、
前記アダプターは、
前記締付け構造の上方に位置し、且つ２つのガイド柱を含み、各前記ガイド柱が前記２つのガイド傾斜面の一方と前記２つの延長アームの一方との間に位置するガイド構造を更に含み、
前記２つのガイド柱は、前記２つのガイド柱がそれぞれ前記２つのガイド傾斜面を押す場合、前記２つのガイド部が接近方向へ前記弾性連結部を押して、前記２つの延長アームをそれぞれ前記２つの凸軸上方で回転するように連動して、前記２つのフックを前記ケーブルの前記２つの凹溝から外すように配置される請求項２に記載のアダプター。
【請求項４】
前記ガイド構造の上方に固定され、前記ガイド構造を連動させるように配置されるプッシュボタンを更に含む請求項３に記載のアダプター。
【請求項５】
前記ガイド構造と前記プッシュボタンとの間に位置し、且つスロットを有する上部ハウジングを更に含み、前記プッシュボタンが前記スロットを貫通し前記ガイド構造に結合され、且つ前記上部ハウジングと前記下部ハウジングとが前記ケーブル挿入用の隙間を形成する請求項４に記載のアダプター。
【請求項６】
前記２つの延長アームは、それぞれ第１端及び第２端を有し、且つそれぞれ前記２つの凸軸の上方で回転する場合、前記２つの第１端が離間し、前記２つの第２端が接近するように配置される請求項２〜５の何れか１項に記載のアダプター。
【請求項７】
前記２つのフックがそれぞれ傾斜面を有し、前記２つの傾斜面は、前記ケーブルが前記アダプターに結合される場合、前記ケーブルの前記両側がそれぞれ前記２つのフックの前記２つの傾斜面を押し、且つ前記ケーブルと前記アダプターが結合された場合、前記ケーブルが前記２つの傾斜面の間に位置するように互いに対向して配置される請求項１に記載のアダプター。
【請求項８】
前記２つの延長アームの間に位置するコネクタと、
前記２つの凸軸の間に位置し、且つ前記コネクタに電気的に結合される回路基板と、
前記回路基板と前記心電図装置とを電気的に結合するリード線接続箱と、
を更に含む請求項２に記載のアダプター。
【請求項９】
前記リード線接続箱は、第１の側壁及び第２の側壁を更に含み、前記第１の側壁及び前記第２の側壁にそれぞれ複数の導電性バックルを有する請求項８に記載のアダプター。
【請求項１０】
前記リード線接続箱は、前記第１の側壁及び前記第２の側壁に接続される第３の側壁を更に含み、前記第３の側壁が複数のジャックを有する請求項９に記載のアダプター。